(57)【要約】【課題】有人警備または無人警備を問わず、警備サービスに新たな付加価値を提供すること。【解決手段】タッチパネル式であるディスプレイ１０と、カメラ２０と、利用者と管理者側の担当者との間でネットワークを介した通話を可能とする通話手段３０と、を少なくとも具備する据え置き型または携帯型の警備用装置Ａ１，Ａ２である。通話手段３０にはディスプレイ１０で選択した言語での会話が可能なオペレータとの通話を行う機能を設けることができる。また、別途、カメラ２０で撮影した顔データから顔認証を行う顔認証手段４０を追加することができる。【選択図】図１
0003216687.tif 000002
【実用新案登録請求の範囲】
【請求項１】
タッチパネル式である、ディスプレイと、
カメラと、
利用者と、管理者側の担当者との間でネットワークを介した通話を可能とする、通話手段と、
を少なくとも具備したことを特徴とする、
警備用装置。
【請求項２】
前記通話手段が、前記ディスプレイで選択した言語での会話が可能なオペレータとの通話を行う機能を備えることを特徴とする、
請求項１に記載の警備用装置。
【請求項３】
前記カメラで撮影した顔データから顔認証を行う、顔認証手段をさらに有することを特徴とする、
請求項１または２に記載の警備用装置。
【請求項４】
前記顔認証手段で顔認証を行った人物が、認証できない人物であるときに、前記カメラが、前記人物の録画を継続または開始する機能を備えることを特徴とする、
請求項１乃至３のうち何れか１項に記載の警備用装置。
【請求項５】
前記警備用装置が、警備箇所に設置する据え置き型であり、
前記ディスプレイは、略等身大の警備員の立哨警備姿を表示する機能を備えることを特徴とする、
請求項１乃至４のうち何れか１項に記載の警備用装置。
【請求項６】
前記警備用装置は、警備員が保有する携帯型であることを特徴とする、
請求項１乃至４のうち何れか１項に記載の警備用装置。
【考案の詳細な説明】
【技術分野】
【０００１】
本考案は、公共機関、商業施設、オフィスビルなどの屋内外の施設に設置したり、警備中の警備員が保有して使用に供することが可能な警備用装置に関する。
【背景技術】
【０００２】
近年、警備員の人件費の負担や、警備員の人員確保が難しい実情などの観点から、警備機能を有する装置を用いた無人警備を有人警備と組み合わせる方法が提案されている。
その中で、無人警備を行う装置や有人警備を行う警備員にも、それぞれのサービスに新たな付加価値を提供することが求められている。
【考案の概要】
【考案が解決しようとする課題】
【０００３】
よって、本願考案は、有人警備または無人警備を問わず、警備サービスに新たな付加価値を提供することを目的の１つとする。
【課題を解決するための手段】
【０００４】
上記の課題を解決するための考案された本願の第１考案は、タッチパネル式である、ディスプレイと、カメラと、利用者と、管理者側の担当者との間でネットワークを介した通話を可能とする、通話手段と、を少なくとも具備したことを特徴とする、警備用装置を提供する。
また、本願の第２考案は、前記第１考案において、前記通話手段が、前記ディスプレイで選択した言語での会話が可能なオペレータとの通話を行う機能を備えることを特徴とする。
また、本願の第３考案は、前記第１考案または第２考案において、前記カメラで撮影した顔データから顔認証を行う、顔認証手段をさらに有することを特徴とする。
また、本願の第４考案は、前記第１考案乃至第３考案のうち何れかにおいて、前記顔認証手段で顔認証を行った人物が、認証できない人物であるときに、前記カメラが、前記人物の録画を継続または開始する機能を備えることを特徴とする。
また、本願の第５考案は、前記第１考案乃至第４考案のうち何れかにおいて、前記警備用装置が、警備箇所に設置する据え置き型であり、前記ディスプレイは、略等身大の警備員の立哨警備姿を表示する機能を備えることを特徴とする。
また、本願の第６考案は、前記第１考案乃至第４考案のうち何れかにおいて、前記警備用装置は、警備員が保有する携帯型であることを特徴とする。
【考案の効果】
【０００５】
本考案によれば、以下に記載する効果のうち、少なくとも何れか１つの効果を奏する。
（１）警備用装置にアクセスするユーザと管理者側の担当者との間で、通話による意思疎通を可能に構成することで、無人警備でありながら有人警備の安心感をユーザに抱かせることができる。
（２）通話手段に、ディスプレイで選択した言語での会話が可能なオペレータとの通話を行う機能を持たせることで、海外からの観光客などの外国人に対するガイドとしても機能することができる。
また、本考案に係る警備用装置が、警備員が携帯可能な携帯端末であれば、警備員自身が外国語を習得せずともガイド役を担当することができる。
（３）カメラによる撮影データから顔認証を行うことで、認証できた人物のみ通行を許可するなどの措置が可能となる
（４）顔認証手段によって撮影した人物が認証できない人物であるときに、カメラによる録画を継続または開始することで、不審者の記録が可能となる。
【図面の簡単な説明】
【０００６】
【図１】本考案に係る警備用装置の構成例を示すイメージ図。
【図２】本考案に係る警備用装置（据え置き型）の使用イメージ図。
【図３】本考案に係る警備用装置（携帯型）の使用イメージ図。
【考案を実施するための形態】
【０００７】
以下、図面を参照しながら、本考案の実施例について説明する。
【実施例】
【０００８】
＜１＞全体構成
本実施例に係る警備用装置は、ディスプレイ１０，カメラ２０，通話手段３０，顔認証手段４０を具備してなる。
その他、警備用装置Ａには、人の接近を検知する人感センサなどを設けても良い。
【０００９】
＜１．１＞警備用装置の構成例
図１（ａ）に示す警備用装置Ａ１は、立て看板状を呈する据え置き型の装置であり、公共機関、商業施設、オフィスビルなどの屋内外の施設での警備業務で使用することができるタイプである。
図１（ｂ）に示す警備用装置Ａ２は、スマートフォンやタブレットなどの情報処理端末で構成した携帯型であり、警備員が保有して適宜使用するものである。
以下、各構成要素の詳細について説明する。
【００１０】
＜２＞ディスプレイ
ディスプレイ１０は、各種画面を表示して、人によるタッチ操作を可能とする部材である。
図１（ａ）に示す据え置き型の警備用装置Ａ１として使用する場合には、ディスプレイ１０に、警備員の警備姿の静止画または動画などの防犯効果を発揮できるような映像、図画、写真などや、広告、周辺地図などを表示してもよい。
また、ディスプレイ１０に表示する各種画面の切り替えは、前記した人感センサ（図示せず）などで自動的に行うように構成してもよい。
【００１１】
＜３＞カメラ
カメラ２０は、警備用装置周辺の人や物を撮影するための部材である。
カメラ２０は、周辺を撮影する警備用途、後述する通話手段３０によるＴＶ通話時における装置利用者側の撮影用途、後述する顔認証手段４０による通行者の認証に使用される顔写真の取得用途、のうち少なくとも何れか１つの用途などに使用することができる。
また、カメラ２０は、１台で全ての用途を兼用してもよいし、各用途に応じて複数台を設けるように構成してもよい。
【００１２】
＜４＞通話手段
通話手段３０は、警備用装置側の利用者と、管理者側の担当者との間でネットワークを介した通話を可能とするための手段である。
管理者側の担当者は、監視室に常駐する警備員や、立哨警備や巡回警備を行っている警備員に限らず、例えば外国語での会話が可能なオペレータなど、管理者側で雇用しているスタッフや、その他のボランティアなどが含まれる。
【００１３】
＜５＞顔認証手段
顔認証手段４０は、前記カメラ２０で撮影した顔データに基づいて認証作業を行うための手段である。
顔認証手段４０は、警備用装置Ａ１，Ａ２や、別途ネットワークで接続されるサーバーなどに設けてある認証情報のデータベースと、カメラ２０で撮影した顔データとを照合して、被撮影者がデータベースに登録されている者かどうかを判定する機能を備える。
認証結果は、不審者の特定、通行ゲートの開閉など、あらゆる用途に用いることができる。
【００１４】
＜６＞使用例１（図２）
図２は、据え置き型の警備用装置Ａ１の使用イメージ図である。
本例では、特定の者のみが利用可能なエレベータの前に警備用装置Ａ１を設置している。また、警備用装置Ａ１にはカメラ２０および顔認証手段４０を設けており、随時、通行者Ｆの顔認証作業を行っている。
そして、顔認証手段４０でもって通行者Ｆが、データベースに登録されていない者（例えば不審者）であると認識した際には、ネットワークＣを介して監視室Ｄに詰めている警備員Ｅに通知を行うよう構成している。
このとき、カメラ２０は、不審者と判断した通行者Ｆが映っている映像を録画しておき、事後利用可能に構成してもよい。
【００１５】
＜７＞使用例２（図３）
図３は、携帯型の警備用装置Ａ２の使用イメージ図である。
本例では、駅の構内などで警備を行っている警備員が、警備用装置Ａ２を保有している。警備用装置Ａ２のディスプレイ１０には、言語選択用のアイコン５０を表示可能なアプリケーションがインストールされている。
外国人観光客などが道案内などの希望の為に警備員Ｄに話しかけてきた際には、警備員Ｄ若しくは観光客自身によるアイコン５０の選択でもって、ネットワークＣを介して、選択したアイコン５０の言語での会話が可能なオペレータＧとの通話を可能な状態とする。このとき、カメラ２０を用いていわゆるＴＶ電話による通話を行っても良い。
【００１６】
＜８＞その他の使用例
本考案に係る警備用装置は、前記した使用例に示す構成に限らない。
例えば、据え置き型の警備装置Ａ１に、外国語での会話を行うオペレータＧとの通話機能を持たせても良い。
【符号の説明】
【００１７】
Ａ１：警備用装置（据え置き型）
Ａ２：警備用装置（携帯型）
１０：ディスプレイ
２０：カメラ
３０：通話手段
４０：顔認証手段
５０：アイコン
Ｂ  ：エレベータ
Ｃ  ：ネットワーク
Ｄ  ：監視室
Ｅ  ：警備員
Ｆ  ：通行者
Ｇ  ：オペレータ
【図１】
0003216687.tif 000003
【図２】
0003216687.tif 000004
【図３】
0003216687.tif 000005